(57)【特許請求の範囲】
【請求項１】
便器を洗浄するための便器洗浄機構と、その近傍に配置された、使用者の局部を洗浄するための局部洗浄装置とを備え、
前記便器洗浄機構を、前記便器に取付けるための第１ベースプレートと、
この第１ベースプレートを介して前記便器に取付けられた前記便器洗浄機構を収容する第１ケーシングと、
前記局部洗浄装置を、前記便器に取付けるための第２ベースプレートと、
この第２ベースプレートを介して前記便器に取付けられた前記局部洗浄装置を収容する第２ケーシングと、
前記第１ベースプレートに対する前記第２ベースプレートの前記便器の所定取付部位における相対位置を確定させるためのスライド部と、
前記第２ベースプレートに設けられた、前記第２ケーシングを前記第２ベースプレート上の所定位置に位置決めするための位置決めガイド部材と、
を有し、
前記第１、第２ベースプレートと、前記第１、第２ケーシングとは、夫々互いに分離可能な部品として構成されており、前記第１、第２ケーシングは、互いに密着状態で組合わされたときに、一体としての外観をなすように構成されていることを特徴とする便器装置。
【請求項２】
請求項１記載の便器装置において、
水源からの給水を、前記便器洗浄機構及び前記局部洗浄装置に夫々分配するための給水分配機構は、少なくとも前記第２ケーシングとは別のケーシングに収容されていることを特徴とする便器装置。
【請求項３】
請求項１又は請求項２記載の便器装置において、
前記便器洗浄機構は、洗浄水を貯留するためのロータンクと、このロータンク内の水を便器に排出するための排水弁と、この排水弁を駆動することにより前記便器を自動洗浄するためのモータとを備え、
前記モータは、前記ロータンクの壁に着脱自在に取付けられていることを特徴とする便器装置。
【発明の詳細な説明】
【０００１】
【発明の属する技術分野】
本発明は、便器を洗浄するための便器洗浄機構と、その近傍に配置されている、使用者の局部を洗浄するための局部洗浄装置とを備えた構成の便器装置の改良に関するものである。
【０００２】
【従来の技術】
従来、上記便器装置では、便器洗浄機構は、ロータンク内の水を便器に流す排水弁やこの排水弁を開いて便器を自動洗浄するためのクラッチモータ等を備えた便器洗浄機能部と、該機能部を制御する制御基板とが、ボルト締めによりベースプレート上に固定される。また、局部洗浄装置は、洗浄水噴射ノズル等を備えた衛生洗浄機能部と、該機能部を制御する制御基板とが、やはりボルト締めにより上記と同一のベースプレートに固定される。そして、このベースプレートを介して上記洗浄機構と上記洗浄装置とは便器に取付固定され、双方共に１個のケーシングによって覆われていた。なお、クラッチモータは、ロータンク側壁等にビス止めされ信号線を通して局部洗浄装置の制御基板に接続されており、衛生洗浄機能部も信号線を通して制御基板に接続されている。
【０００３】
【発明が解決しようとする課題】
ところで便器洗浄機能部は、上記以外にも、ロータンクやロータンク内の水を一定水位に保持するボールタップや供給された水をロータンクと局部洗浄装置とに分岐するための分岐金具等を備えるが、これらは機能的にほぼ完成されており、モデルチェンジも殆ど行われない。そのため、ライフサイクルが長いとの予想から耐久性のある材料により構成されている。
【０００４】
一方、衛生洗浄機能部は、上記以外にも、専用熱交換器や入水口を通して供給される水を断／続するためのバルブ、便座や便蓋を開閉するための電動開閉装置等を備えるが、これらは多機能化が進行中であり、モデルチェンジが盛んに行われている。そのため、ライフサイクルが短いとの予想からそれほど耐久性のない材料により構成されている。
【０００５】
しかし、従来の便器装置においては、便器洗浄機構も局部洗浄装置も、共に同一のベースプレート上に組付けられて１個のケーシングによって覆われていたために、モデルチェンジによって局部洗浄装置のみを新品と交換する必要が生じたときでも、ケーシングを取外した後、作業上の手間から局部洗浄装置のみを新品と交換することは行わず、ベースプレート毎、新品と交換するのが通常であった。そのため、局部洗浄装置については勿論のこと、依然として使用可能な状態にある便器洗浄機構についてまでも新品と交換しなければならなくなり、不経済であるという問題点があった。
【０００６】
従って本発明の第１の目的は、便器洗浄機構と局部洗浄装置のいずれか一方に故障等の不具合が生じた場合には、故障が生じた機器類だけを新品と交換するだけで済む、経済的な便器装置を提供することにある。
【０００７】
また、本発明の第２の目的は、便器洗浄機構用ベースプレート、局部洗浄装置用ベースプレート、便器洗浄機構用ケーシング、及び局部洗浄装置用ケーシングが夫々互いに分離可能な部品として構成された便器装置において、便器洗浄機構を駆動するためのモータの、便器洗浄機構を構成するロータンクへの取付け／取外し作業が容易に行えることにより、便器洗浄機構又は局部洗浄装置の交換作業に際して大幅な作業性の向上を図ることが可能な便器装置を提供することにある。
【０００８】
【課題を解決するための手段】
本発明に従う便器装置は、便器を洗浄するための便器洗浄機構と、その近傍に配置された、使用者の局部を洗浄するための局部洗浄装置とを備え、上記便器洗浄機構を、上記便器に取付けるための第１ベースプレートと、この第１ベースプレートを介して上記便器に取付けられた上記便器洗浄機構を収容する第１ケーシングと、上記局部洗浄装置を、上記便器に取付けるための第２ベースプレートと、この第２ベースプレートを介して上記便器に取付けられた上記局部洗浄装置を収容する第２ケーシングと、上記第１ベースプレートに対する上記第２ベースプレートの上記便器の所定取付部位における相対位置を確定させるためのスライド部と、上記第２ベースプレートに設けられた、上記第２ケーシングを上記第２ベースプレート上の所定位置に位置決めするための位置決めガイド部材と、を有し、上記第１、第２ベースプレートと、上記第１、第２ケーシングとは、夫々互いに分離可能な部品として構成されており、上記第１、第２ケーシングは、互いに密着状態で組合わされたときに、一体としての外観をなすように構成されている。
【０００９】
本発明の一つの好適な実施形態では、水源からの給水を、便器洗浄機構及び局部洗浄装置に夫々分配するための給水分配機構は、少なくとも第２ケーシングとは別のケーシングに収容されている。
【００１０】
また、本発明の別の好適な実施形態では、便器洗浄機構は、洗浄水を貯留するためのロータンクと、このロータンク内の水を便器に排出するための排水弁と、この排水弁を駆動することにより便器を自動洗浄するためのモータとを備え、モータは、ロータンクの壁に着脱自在に取付けられている。
【００１１】
本発明によれば、便器洗浄機構を、便器に取付けるための第１ベースプレートと、第１ベースプレートを介して便器に取付けられた便器洗浄機構を収容する第１ケーシングと、局部洗浄装置を、便器に取付けるための第２ベースプレートと、第２ベースプレートを介して便器に取付けられた局部洗浄装置を収容する第２ケーシングと、第１ベースプレートに対する第２ベースプレートの便器の所定取付部位における相対位置を確定させるためのスライド部と、第２ベースプレートに設けられた、第２ケーシングを第２ベースプレート上の所定位置に位置決めするための位置決めガイド機構と、を有し、第１、第２ベースプレートと、第１、第２ケーシングとは、夫々互いに分離可能な部品として構成されているので、従来の便器装置のような、１個のベースプレートに便器洗浄機構と局部洗浄装置の双方を取付け、且つ、これらを１個のケーシングに収容した構成のものとは異なり、故障が生じていない機器類を、故障が生じた機器類と共に新品と交換するような不経済を回避できる。また、第１ケーシングと第２ケーシングとは、互いに密着状態で組合わされたときに、一体としての外観をなすように構成されているので、２個のケーシングを組付けて一体にしても見栄えが悪くならない。
【００１２】
本発明の一つの好適な実施形態によれば、水源からの給水を、便器洗浄機構及び局部洗浄装置に夫々分配するための給水分配機構は、少なくとも第２ケーシングとは別のケーシングに収容されているので、従来の便器装置のような、給水分配機構が外部に露出していたものと異なり、見栄えがよい。また、給水分配機構は例えば鋳物で構成されており、局部洗浄装置の各部よりも寿命が長いので、第２ケーシング以外のケーシングに収容しておけば、局部洗浄装置の交換時に新品と交換せずにそのまま使用を継続できる。
【００１３】
また、本発明の別の好適な実施形態によれば、ロータンク内の洗浄水を便器に排出するための排水弁を駆動することにより便器を自動洗浄するためのモータは、ロータンクの壁に着脱自在に取付けられるよう、構成されているので、ドライバ等の工具を必要とせず、所謂ワンタッチ着脱が行える。
【００１４】
【実施の形態】
以下、本発明の実施の形態を、図面により詳細に説明する。
【００１５】
図１〜図３は、本発明の一実施形態に係る便器装置の全体構成を示す。
【００１６】
上記装置は、便器本体１、その背後部上面に設けられたロータンク３、便器本体１の背後部上面においてロータンク３の手前側に設けられた局部洗浄装置５、ロータンク３の側面部を覆うための第１ケーシング７、該ケーシング７に密着して設けられ、局部洗浄装置５を上部から覆うための第２ケーシング９を備える。
【００１７】
ロータンク３は、図６（Ａ）及び図６（Ｂ）に示すように、複数個の締結具１１により便器本体１の後部上面に取付けられるロータンク用ベースプレート（以下、「第１ベースプレート」という）１３、及びその上部に取付けられるロータンク本体１５を備える。ロータンク３は、更に、図５（Ａ）及び図５（Ｂ）に示すように、ロータンク本体１５の上部に取付けられる手洗用シンク取付盤１７、及びこの手洗用シンク取付盤１７を介してロータンク本体１５の上部に取付けられる手洗用シンク１９をも備える。
【００１８】
第１ベースプレート１３は、その便器正面側の部位に形成された円弧状突出部２１、該円弧状突出部２１から矩形状に突出し、局部洗浄装置側給水管３５の下流側開口部が固定される給水接続部２３、円弧状突出部２１に形成された、ロータンク本体１５の排水口４３を挿入するための貫通孔２５を備える。第１ベースプレート１３は、また、その便器正面側の部位に、図４に示す第１ケーシング７正面側の２個のビス穴６７に対応して形成された２個のビス受けボス２６、便器背面側の部位に、第１ケーシング７背面側の２個のフランジ付き窓６９に対応して形成された２個の係合爪部材２７をも備える。第１ベースプレート１３は、また、貫通孔２５の近傍部位に設けられた、ロータンク本体１５をベースプレート１３上の所定取付位置へとガイドするための複数個のガイド用突起２９、複数個のビスにより固定された局部洗浄装置側給水管３５をも備える。第１ベースプレート１３は、更に、上水道管３１とロータンク側給水管３３及び局部洗浄装置側給水管３５との間に接続される分岐金具３７、上記排水口４３と便器本体１の後部上面に形成される便器給水口（図示しない）との間をシールするためのシール用部材３９、４１をも備える。
【００１９】
ロータンク本体１５は、その便器正面側の部位に、前記円弧状突出部２１に対応して形成された円弧状突出部４５、該円弧状突出部４５の下方に形成された排水口４３、上部に形成された半円弧状のスピンドル挿通用切欠き４７及び矩形状の洗浄剤挿入用切欠き４９を備える。ロータンク本体１５は、また、前記ロータンク側給水管３３に接続され、ロータンク本体１５内の便器洗浄用の水を一定水位まで貯水するためのボールタップ機構５１、ボールタップ機構５１から分岐して手洗用の吐水口５５（図５（Ａ）参照）に連通する手洗用給水管５３を備える。ロータンク本体１５は、また、排水口４３を開閉するために設けられた大便洗浄用排水弁、小便洗浄用排水弁、夫々玉鎖を介して上記大便洗浄用排水弁、小便洗浄用排水弁に連結する大便洗浄用回転アーム、小便洗浄用回転アーム（いずれも図示しない）を備える。ロータンク本体１５は、更に、これら回転アームが所定角度だけ回転自在に挿通されたスピンドル、スピンドルを正逆方向に回転させる手動レバー又はクラッチモータ（図１１、図１２、図１４及び図１５参照）をも備える。
【００２０】
手洗用シンク取付盤１７は、手洗用シンク１９を位置決め固定するための矩形状の枠体５７、上記洗浄剤挿入用切欠き４９に対応して形成された洗浄剤挿入用切欠き５９、上記手洗用給水管５３を通すための切欠き６１を備える。
【００２１】
手洗用シンク１９は、手洗用シンク取付盤１７にビス止めされてロータンク本体１５の上部に取付けられるもので、図５（Ａ）に示すように、手洗用給水管５３の下流側端部が開口する切欠き６３、該切欠き６３に嵌合される手洗用の吐水口５５を備える。
【００２２】
第１ケーシング７は、ＡＢＳ樹脂等の樹脂により構成され、ロータンク本体１５の側部外周を覆うべくロータンク本体１５と同様に、便器正面側の部位に上記円弧状突出部４５と同一形状の円弧状突出部６５が形成されており、その下部には、局部洗浄装置側給水管３５を通すための切欠き７１が形成されている。円弧状突出部６５の下部両側には、局部洗浄装置５の後述する着脱スライド部１３１と係合するために２個の係止片７３が形成されている。第１ケーシング７は、上述したように、その便器正面側に２個のビス穴６７を、また、便器背面側に２個のフランジ付窓６９を夫々備え、便器正面側には、第２ケーシング９の便器背面側に取付けられるクラッチモータ（図１１及び図１２では符号１５３で示し、また、図１４及び図１５では符号１９３で示す）を収容するための切欠き８１を備える。第１ケーシング７は、また、図４表面から見て左側面下方には、給水管を通すための円形孔７５と切欠き穴７７を、その上方には、上述したスピンドルを通すための矩形状の窓７９を、更に、図４表面から見て右側側面上方に、洗浄剤をロータンク本体１５内に投入するための投入口８３を備える。
【００２３】
図７は、第１ベースプレート１３と便器本体１との接続部位の取付構造を示す部分断面図である。
【００２４】
図から明らかなように、ロータンク３が取付けられた第１ベースプレート１３は、その底部の締結具係止部８５に頭部が係合された締結具（ボルトと鍔付ナットとからなる）１１を、便器本体１後部上面に設けられた貫通孔８７に挿入することにより便器本体１に取付けられている。そして、第１ベースプレート１３底面と便器本体１後部上面との間隙に、発泡シート８９とタンクパッキン９１とを介在させている。
【００２５】
図８は、上述した給水接続部２３の構造を示す断面図である。
【００２６】
図において、プラグ９３の下端部側は、その外周に巻回されたＯリング９５を介して上側フランジ９７の内周側に嵌合されている。また、上部にゴムパッキン９９が設けられたコマ１０１は、スプリング１０３を介して下側フランジ１０５に取付けられている。
【００２７】
局部洗浄装置５は、用便後の局部の洗浄、洗浄後の局部の乾燥等を行うためのもので、図１０（Ｂ）に示すように、複数個の締結具１０７により便器本体１の後部上面に取付けられる局部洗浄装置用ベースプレート（以下、「第２ベースプレート」という）１０９を備える。
【００２８】
第２ベースプレート１０９は、その外周に突設された、第２ケーシング９を取付けるための位置決めガイド部材１１０、便器背面側の略中央部位に形成された、前記給水接続部２３を収容するための上方に突出した凹部１１２を備える。第２ベースプレート１０９は、第２ケーシング９の便器背面側に形成された一対のビス穴１３５に対応するビス受けボス１１４を始め、コントローラ１２９固定用のボス１１６、操作基板固定用のボス１１８等、多数のボスをも備える。第２ベースプレート１０９の符号１２０で示す切欠きには、一対のボス１２４に嵌挿され、且つ、各係止片７３に係合されることにより、第２ベースプレート１０９を第１ベースプレート１３に対して位置決めするための着脱スライド部１３１が嵌合される（図１０（Ｃ）参照）。
【００２９】
局部洗浄装置５は、第２ベースプレート１０９に加えて、凹部１１２に取付けられた、前記給水管３５に連通する入水口１１１、入水口１１１を通じて供給される水を断／続するための電磁バルブ１１３、及び入水口１１１を通じて供給される水に加熱するための専用熱交換器１１５をも備える。
【００３０】
局部洗浄装置５は、入水口１１１から専用熱交換器１１５に流入した洗浄水を噴射するための噴射ノズル１１７、用便により便器本体１及びその近傍に生じた悪臭を吸引するための脱臭器１１９、及び便器本体１及びその周囲の空気を吸排気するための室内暖房器１２１をも備える。局部洗浄装置５は、更に、便座や便蓋を自動開／閉するための電動開閉器１２３、装置５の各部や便座、便蓋を駆動するスイッチ類と接続される操作基板１２５、装置５等の駆動状態を表示する表示部と接続される表示基板１２７、上記各部をコントロールするためのコントローラ１２９をも備える（図１０（Ａ）参照）。
【００３１】
第２ケーシング９も、ＡＢＳ樹脂等の樹脂により構成されている。第２ケーシング９は、図９に示すように、便器背面側の部位に、前記円弧状突出部７３に嵌合可能に形成される円弧状凹部１３３と、その下端側に形成された、前記２個の係止片７３と第２ベースプレート９の切欠き１２０とに係合されている着脱スライド部１３１の一部分を収容するための切欠き１４３とを備える。第２ケーシング９の便器背面側の部位には、更に、第２ベースプレート１０９にビス止めするための一対のビス穴１３５と、第２ケーシング９内を換気するための切欠き１３７と、コントローラ１２９の制御下で前述したスピンドルを回転させるクラッチモータを収容するための収容部１３９をも備える。
【００３２】
第２ケーシング９は、その左側面下部に、室内暖房器１２１の吸排気口を通すための切欠き１４７を、右側面下部に局部洗浄装置５の各種スイッチや表示部等を有した操作部１４５と、給電線１２２を通すための切欠き１４１とを、夫々備える。
【００３３】
上記構成の便器装置は、以下の工程を経て組立られる。
【００３４】
まず、給水管３５、分岐金具３７等が取付けられた第１ベースプレート１３に、ロータンク本体１５を組付け、次に、ロータンク本体１５を覆うべく第１ケーシング７を組付け、更に、ロータンク本体１５の上部を覆うべく手洗用シンク取付盤１７及び手洗用シンク１９を取付ける。
【００３５】
給水管３３は、第１ベースプレート１３への組付けが完了したロータンク本体１５に対して取付けられ、上水道管３１は、第１ケーシング７が第１ベースプレート１３に組付けられた後に、分岐金具３７に接続される。また、吐水口５５は、手洗用シンク取付盤１７を介してロータンク本体１５及び第１ケーシング７への取付けが完了した手洗用シンク１９の切欠き６３に嵌合され、手洗用給水管５３に接続される。
【００３６】
なお、シール用部材３９、４１は、ロータンク本体１５、第１ケーシング７等が組付けられた第１ベースプレート１３が、締結具１１により便器本体１後部上面の後部側に取付固定されるに際して、排水口４３と便器給水口（図示しない）との間に取付けられる。
【００３７】
このようにしてロータンク側の取付作業が完了すると、局部洗浄装置側の取付作業が行われる。
【００３８】
まず、入水口１１１、電磁バルブ１１３、専用熱交換器１１５、噴射ノズル１１７、脱臭器１１９、室内暖房器１２１、電動開閉器１２３、操作基板１２５、表示基板１２７、コントローラ１２９等の局部洗浄装置５を構成する各部品が第２ベースプレート１０９に組付けられる。次に、着脱スライド部１３１を、ボス１２４に嵌合した状態で切欠き１２０に係合させて第２ベースプレート１０９に固定する。そして、第２ベースプレート１０９を持ち上げ、着脱スライド部１３１を第１ケーシング７の円弧状突出部６５に嵌合させた状態で便器本体１上に降ろすと、着脱スライド部１３１が円弧状突出部６５に沿ってスライドし、円弧状突出部７３に係合する。これにより、便器本体１後部上面において、第１ベースプレート１３に対する第２プレート１０９の相対位置が確定する。
【００３９】
このようにして、第２プレート１０９を位置決めし、締結具１０７により第２プレート１０９を便器本体１後部上面に取付固定した後、局部洗浄装置５を上部から覆うべく、第２ケーシング９を第２プレート１０９に取付ける。これにより、局部洗浄装置側の取付作業が完了する。
【００４０】
以上説明したように、本発明の一実施形態によれば、ロータンク１５等の便器洗浄機構を便器本体１に取付けるための第１ベースプレート１３と、第１ベースプレート１３を介して便器本体１に取付けられた便器洗浄機構を収容する第１ケーシング７と、局部洗浄装置５を、前記便器本体１に取付けるための第２ベースプレート１０９と、第２ベースプレート１０９を介して便器本体１に取付けられた局部洗浄装置５を収容する第２ケーシング９とを、夫々互いに分離可能な部品として構成し、第１２ケーシング７、第２ケーシング９を、互いに密着状態で組合わせたときに、一体としての外観をなすように構成したので、ロータンク１５等の便器洗浄機構と局部洗浄装置５のいずれか一方に故障等の不具合が生じた場合には、故障が生じた機器類だけを新品と交換するだけで済むから、非常に経済的である。
【００４１】
図１１は、本発明の他の実施形態に係るロータンクと、ロータンクに取付けられるクラッチモータとを示す斜視図である。
【００４２】
本実施形態は、ロータンク用ベースプレート、局部洗浄装置用ベースプレート、ロータンク用ケーシング、及び局部洗浄装置用ケーシングが夫々互いに分離可能な部品として構成された便器装置において、ロータンク１５１内の排水弁を開／閉させるためのクラッチモータ１５３を、ロータンク１５１の側壁に対して所謂ワンタッチで取付け／取外しが行える構成としたことを主たる特徴とする。
【００４３】
即ち、本実施形態では、クラッチモータ１５３の取付盤１５５の裏面に、先端部を細く形成した爪部を有する複数個のモータ固定用スナップフィット１５７と、廻り止めボス１５９とを取付ける。一方、ロータンク１５１側壁には、該側壁に形成されているアーム挿通用の貫通孔１６１を挟んで各スナップフィット１５７と対応する一対の係止穴１６３（図１２も併せて参照）と、廻り止めボス１５９挿通用の貫通穴１６５（図１２参照）とを形成した。なお、図１１において、符号１６７はモータ１５３の出力軸に連結し、玉鎖等を介して排水弁を開／閉させるためのアーム、符号１６９は、局部洗浄装置内のコントローラに接続する信号線、符号１７１は、ボールタップ機構に連結する給水管、符号１７３は、給水管１７１を通すための貫通穴である。
【００４４】
上記構成によれば、図１２に示すように、クラッチモータ１５３をロータンク１５１に取付けるに際しては、アーム１６７を貫通孔１６１に挿通し、廻り止めボス１５９を貫通穴１６５に挿通すると共に、各スナップフィット１５７を、そのまま各係止穴１６３に挿入すればよい。一方、クラッチモータ１５３を、ロータンク１５１側壁から取外すに際しては、各スナップフィット１５７の爪部を、夫々矢印１７５、１７７方向に押してクラッチモータ１５３を引出すだけでよい。
【００４５】
そのため、本実施形態では、図１３に示したような従来のクラッチモータ１７９のように、その取付盤１８１に設けられた一対のビス受け部１８３に、ビス１８５、１８７でビス止めすることによりロータンク１８９の側壁に取付固定するものとは異なり、ドライバ等の工具を要せず作業者の手だけで容易に所謂ワンタッチ着脱を行うことができる。
【００４６】
従って本実施形態によれば、ロータンク用ベースプレート、局部洗浄装置用ベースプレート、ロータンク用ケーシング、及び局部洗浄装置用ケーシングが夫々互いに分離可能な部品として構成された便器装置において、ロータンク側壁に取付けられるクラッチモータをワンタッチで着脱自在に構成したので、ロータンク又は局部洗浄装置の交換作業に当たり、大幅な作業性の向上が図られる。
【００４７】
図１４及び図１５は、上記他の実施形態の変形例に係るロータンクと、ロータンクに取付けられるクラッチモータとを示す。
【００４８】
本変形例も、上記他の実施形態におけると同様に、ロータンク１９１内の排水弁を開／閉させるためのクラッチモータ１９３を、ロータンク１９１の側壁に対して所謂ワンタッチで取付け／取外しが行える構成としている。しかし、本変形例は、ロータンク１９１側壁に、クラッチモータ１９３を所謂ワンタッチで収容／取り出しが可能な室１９９を設け、モータ側には特別な構成を付加しなかった点が、上記実施形態と相違している点である。
【００４９】
即ち、本変形例では、ロータンク１９１側壁の、モータ挿入位置からモータ取付位置に達する区間に、ロータンク１９１側壁の横方向に沿うように形成された矩形状の切欠き１９５と、円弧状に湾曲したスロット１９７とを有する、クラッチモータ１９３を収容するための室１９９をロータンク１９１と一体的に形成する。そして、この室１９９に、軸２０１により回転自在に支持され、スロット１９７から突出するボス２０３を有し、且つ、スプリング２０５により図１４の時計方向に付勢されたモータ固定用のカム２０７を備えることとした。
【００５０】
なお、ロータンク１９１側壁のモータ取付位置には、図１５に示すように、玉鎖２１１を介してロータンク１９１の排水弁と連係するアーム２０９挿通用の貫通孔２１３が形成されている。
【００５１】
上記構成において、クラッチモータ１９３を、ロータンク１９１側壁に取付ける場合には、室１９９の左端側からモータ１９３を挿入し、そのまま矢印で示すように右方向へスライドさせるだけで、モータ１９３を室１９９の右端側にあるモータ取付位置まで移動させることができる。即ち、カム２０７は、モータ１９３に圧接されることによりスプリング２０５の付勢力に抗して反時計方向へ回転し、モータ１９３がモータ取付位置への移動を完了したときに、スプリング２０５の付勢力により原位置に自動的に復帰して、モータ１９３の位置を固定させるように機能することとなる。
【００５２】
一方、クラッチモータ１９３を、室１９９から取り出すときは、ボス２０３を手で上方に移動させて保持することによりカム２０７を反時計方向へ回転させた状態で停止させるだけで、モータ１９３を左側に引出すことができる。
【００５３】
本変形例においても、上記実施形態におけると同様な効果を奏し得る。
【００５４】
なお、上記内容はあくまで本発明の各実施形態やその変形例に関するものであって、本発明が上記内容のみに限定されることを意味するものでないのは勿論である。
【００５５】
【発明の効果】
以上説明したように、本発明によれば、便器洗浄機構と局部洗浄装置のいずれか一方に故障等の不具合が生じた場合には、故障が生じた機器類だけを新品と交換するだけで済む、経済的な便器装置を提供することができる。
【図面の簡単な説明】
【図１】一実施形態の便器装置の正面図。
【図２】一実施形態の便器装置の側面図。
【図３】一実施形態の便器装置の背面図。
【図４】一実施形態の第１ケーシングの斜視図。
【図５】一実施形態のロータンクの斜視図。
【図６】一実施形態のロータンクの斜視図。
【図７】一実施形態の便器接続部の構造を示す部分断面図。
【図８】一実施形態の給水接続部の構造を示す断面図。
【図９】一実施形態の第２ケーシングの斜視図。
【図１０】一実施形態の局部洗浄装置の斜視図。
【図１１】他の実施形態のロータンク及びクラッチモータの取付構造を示す斜視図。
【図１２】他の実施形態のロータンクに対するクラッチモータの取付構造を示す斜視図。
【図１３】従来の、ロータンクに対するクラッチモータの取付構造を示す部分斜視図。
【図１４】変形例のロータンクに対するクラッチモータの取付構造を示す部分側面図。
【図１５】変形例のロータンクに対するクラッチモータの取付構造を示す部分断面図。
【符号の説明】
１  便器本体
３  ロータンク
５  局部洗浄装置
７  第１ケーシング
９  第２ケーシング
１３  第１ベースプレート
１０９  第２ベースプレート
【図１】
0003584451.tif 000002
【図２】
0003584451.tif 000003
【図３】
0003584451.tif 000004
【図４】
0003584451.tif 000005
【図５】
0003584451.tif 000006
【図６】
0003584451.tif 000007
【図７】
0003584451.tif 000008
【図８】
0003584451.tif 000009
【図９】
0003584451.tif 000010
【図１０】
0003584451.tif 000011
【図１１】
0003584451.tif 000012
【図１２】
0003584451.tif 000013
【図１３】
0003584451.tif 000014
【図１４】
0003584451.tif 000015
【図１５】
0003584451.tif 000016